(57)【特許請求の範囲】
【請求項１】
差入れ先端側で連続されいている脚片部を互いに向き合うように備えた脚部と、
この夫々の脚片部から前記先端側に向けて延びるように該脚片部間に備えられている係止保持片部と、
前記脚片部の夫々の端部側から互いに離れる向きに突き出すように備えられている鍔状部と、
該鍔状部に向き合うように前記脚片部に備えられている係合部とを有し、
前記係止保持片部間に被取付け物の取付け部を受け入れ且つ該取付け部の係止孔の孔内面に該係止保持片部の係止部を係止させて該被取付け物に対して抜け止め状態に備えられると共に取付け対象体の取付け孔周辺部の一方の面に前記鍔状部を係合し且つ他方の側に前記係合部を係合させるように該取付け孔に差入れ取りつけられるプラスチック製のクリップであって、
前記係止保持片部が前記脚片部の端部側から前記先端側に向けて延びるように備えられていると共に、
前記係止保持片部の係止部が前記係合部よりも前記脚片部の端部側で前記係止孔の孔内面に係止可能としてあることを特徴とするクリップ。
【請求項２】
前記鍔状部が前記脚片部の端部側から該鍔状部の先端側を前記係合部の側に近付くように傾斜状に設けてあると共に、
前記係止保持片部が前記脚片部の端部側で前記鍔状部に連続するように設けられていることを特徴とする請求項１に記載のクリップ。
【請求項３】
前記係止保持片部が前記脚片部の係合部よりも先端側で該脚片部に連続されていることを特徴とする請求項１又は請求項２に記載のクリップ。
【請求項４】
前記係止保持片部が前記係止部から前記脚部の先端側に向けて延びる部分を挟持部としてあると共に該挟持部の延設方向に略直交する向きの隆起凸条を該挟持部の互いに向き合った面に夫々複数個備えていることを特徴とする請求項１、請求項２又は請求項３に記載のクリップ。
【請求項５】
前記係止保持片部が前記脚片部に向き合う側に該係止保持片部の延設方向に直交する向きの補強隆起部を備えていることを特徴とする請求項１、請求項２、請求項３又は請求項４に記載のクリップ。
【請求項６】
前記脚片部が前記鍔状部を突き出し状態に備える部分から該脚片部の先端側に向けて仮想の直線に略沿う片部を有すると共に該片部に前記係合部を有しており、
この片部に備えられる前記係合部が該片部から隆起して前記鍔状部に向き合う傾斜係合面を有する係合隆起部としてあると共に、
前記係止保持片部の挟持部が該挟持部に向き合う前記脚片部に略平行とされていることを特徴とする請求項１、請求項２、請求項３、請求項４又は請求項５に記載のクリップ。
【発明の詳細な説明】
【０００１】
【発明の属する技術分野】
この発明は取付け対象体に対して確実に被取付け物の取付けをなすと共に該取付対象体からの被取付け物の取り外しに際して該被取付け物と共に当該取付け対象体から容易に取り外して回収し得るようにしたクリップの提供に関する。
【０００２】
【従来の技術】
自動車などに内装部品を組み付ける組み付け手段として用いられ、しかも、この内装部品の取り外しに際して該内装部品と共に取り付け対象物から取り外し得るようにした各種のクリップがある。
【０００３】
図１２及び図１３は、かかる従来のクリップを示すものである。
図１２に示されるクリップ１００は被取付け物１１０のリブ１１１に対して取付けられると共に該クリップ１００を用いて取付け板１２０に該被取り付け物１１０を取り付けるものであって、このクリップ１００は先端側を窄ませるように該先端側で連続されている一対の脚片１０１、１０１を各端部側に向けて一旦該各脚片１０１間の間隔を離した後、これを互いに近付く向きに屈曲した肩部１０１ａを有し、また、該肩部１０１ａから互いに平行な状態で延設される嵌め合い部１０１ｂを有し、また、この嵌め合い部１０１ｂ端から外方に突き出す鍔部１０２を有する構成としてあり、しかも、前記脚片１０１の先端部の内側から突き出す挟持部１０３を有しており、該挟持部１０３に前記リブ１１１の両側から接触する平坦な挟持面１０３ａと該リブ１１１に構成されている係合孔１１１ａに係合される係合突部１０３ｂを備えた構成としてある。
【０００４】
そして、前記被取付け物１１０のリブ１１１を該クリップ１００の各脚片１０１間から該脚片１０１の先端側にある挟持部１０３の各係合突部１０３ｂ間に押し入れ、この挟持部１０３の挟持面１０３ａ間に該リブ１１１の先端部を入れ込むと共に該リブ１１１に備えられている係合孔１１１ａに前記係合突部１０３ｂを係合させて該クリップ１００を該被取付け物１１０に備えさせ、これを前記取付け板１２０の取付け孔１２１内に前記クリップ１００の先端側から差入れて、該クリップ１００における前記鍔部１０２を該取付け孔１２１の一方側に、また前記肩部１０１ａを該取付け孔１２１の他方側に係合させて前記被取付け物１１０を取付け板１２０に組み付けるようにして用いていた。
【０００５】
また図１３に示されるクリップ２００は、前記と同様に被取付け物２１０に備えられている係止片２１１の係合孔２１１ａにクリップ２００の抜け止め片２０３の係止突起２０３ｂを係止させて該クリップ２００を前記被取付け物２１０に組み付けると共に、この被取付け物２１０に備えられたクリップ２００を取付け板２２０に設けられている取付け孔２２１に差入れて該被取付け物２１０を該取付け板２２０に組み付けるものであって、このクリップ２００は、先端側のＵ字状部２０１ａで連続されている一対の脚片２０１を有すると共に、夫々の端部側に外向きの鍔部２０２を有し、しかも、前記Ｕ字状部２０１ａから該鍔部２０２側に向けて脚片２０１を一旦該方に互いに離れるように屈曲した後再度互いに近付く側に屈曲した「く字状」の屈曲部２０１ｂを有し、更に該屈曲部２０１ｂから前記鍔部２０２に向けて互いに平行な嵌め合い部２０１ｃを有する構成としてあり、この屈曲部２０１ｂの内側の各屈曲片間を亙るように該屈曲部２０１ｂの一方の片部２０１ｂ’から該脚片２０１間に突き出すと片部２０３ａ’と、この片部２０３ａ’から再度他方の屈曲部２０１ｂの片部２０１ｂ”に向けて屈曲する片部２０３ａ”を備えた抜け止め片２０３を有する構成としてあり、前記屈曲部２０１ｂと共に菱形をなすように構成する該抜け止め片２０３の突き出し端部に前記係止突起２０３ｂを有する構成としてある。
【０００６】
そして、前記抜け止め片２０３間に前記被取付け物２１０の係止片２１１を受け入れ且つ該係止片２１１の係合孔２１１ａに前記係止突起２０３ｂを係止して該クリップ２００を被取付け物２１０に組み付けると共に該クリップ２００の先端側から前記取付け板２２０の取付け孔２２１に該クリップ２００と被取付け物２１０とを差入れ、該クリップ２００における前記鍔部２０２と前記屈曲部２０１ｂの片部２０１ｂ”との間で該取付け板２２０を挟持するようにして該被取付け物２１０を取付け板２２０に取り付けるようにして用いていた。
【０００７】
【発明が解決しようとする課題】
しかしながら、図１２で示されるクリップ１００は、被取付け物１１０のリブ１１１の挟持部１０３が該クリップ１００の先端側の内側から突き出す構成としてあり、このクリップ１００を備えた前記被取付け物１１０を前記取付け板１２０の取付け孔１２１から取り外す際に、該クリップ１００は該クリップ１００の係合突部１０３ｂを前記リブ１１１の係合孔１１１ａの孔面によって前記取付け孔１２１から抜き出す向きに引かれると同時に、このリブ１１１による該クリップ１００の引っ張りによって該クリップ１００の肩部１０１ａが前記取付け孔１２１の孔縁に沿って前記脚片１０１を互いに窄ませるように当接されることとなり、この取付け孔１２１の孔縁による前記肩部１０１ａの撓み込みに要する力が前記係合孔１１１ａと前記係合突部１０３ｂの係合力を上回る場合、前記被取付け物１１０のリブ１１１が該クリップ１００の前記係合突部１０３ｂとの係合を離脱して該クリップ１００を前記取付け孔１２１に残した状態で前記被取付け物１１０が前記取付け板１２０から取り外される不具合があった。
【０００８】
特に、前記図１２で示されるクリップ１００にあっては、前記挟持部１０３の係合突部１０３ｂが前記クリップ１００の先端側に備えられており、前記リブ１１１を前記取付け孔１２１から引き抜く側に引いた際に、該係合突部１０３が前記リブ１１１の係合孔１１１ａに対する係合を解くように互いに離れる側に変形される不具合があった。
【０００９】
また、図１３に示されるクリップ２００は、前記係止片２１１の係合孔２１１ａに係合される係止突起２０３ｂを有する抜け止め片２０３が、前記「く字状」の屈曲部２０１ｂを有する脚片２０１の端部側にある嵌め合い部２０１ｃから離れた位置にある前記該脚片２０１部分から突き出し状態に設けてあって、該クリップ２００の長さ方向の略中央の該脚片２０１相互が比較的離れた位置で前記係止片２１１に係止される係止突起２０３ｂを有するように突き出し設けられた比較的長寸状のものとして構成してあり、前記被取付け物２１０を前記取付け板２２０に安定した組み付け状態に維持するのに難があり、また、前記クリップ２００を該被取付け物２１０と共に前記取付け板２２０から確実に取り外すのに難があった。
【００１０】
【課題を解決するための手段】
前記目的を達成するために請求項１に記載の発明を、差入れ先端側で連続されいている脚片部を互いに向き合うように備えた脚部と、
この夫々の脚片部から前記先端側に向けて延びるように該脚片部間に備えられている係止保持片部と、
前記脚片部の夫々の端部側から互いに離れる向きに突き出すように備えられている鍔状部と、
該鍔状部に向き合うように前記脚片部に備えられている係合部とを有し、
前記係止保持片部間に被取付け物の取付け部を受け入れ且つ該取付け部の係止孔の孔内面に該係止保持片部の係止部を係止させて該被取付け物に対して抜け止め状態に備えられると共に取付け対象体の取付け孔周辺部の一方の面に前記鍔状部を係合し且つ他方の側に前記係合部を係合させるように該取付け孔に差入れ取りつけられるプラスチック製のクリップであって、
前記係止保持片部が前記脚片部の端部側から前記先端側に向けて延びるように備えられていると共に、
前記係止保持片部の係止部が前記係合部よりも前記脚片部の端部側で前記係止孔の孔内面に係止可能としてあることを特徴とするクリップとしてある。
【００１１】
このように構成されるクリップにあっては、当該クリップが前記取付け対象体の取付け孔内において前記被取付け物の係止孔に係止部を係止した状態で該被取付け物を保持すると共に、前記被取付け物を前記取付け対象体から取り外す際に前記クリップを被取付け物と共に取付け対象体から取り外すことができる。
【００１２】
このように構成されるクリップにあっては、前記取付け対象体に取り付けられる被取付け物が、この取付け対象体の取付け孔内において前記クリップの係止部に係止された状態で保持され、この被取付け物の抜き出し方向に向けた動きを該取付け孔内において前記係止部で阻止すると共に、抜き差し方向以外の向きに生ずる該取付対象体と被取付け物相互間の動きに際して該クリップの係止部における被取付け物の取付け部の傾き量が少なく、前記取付け対象体と被取付け物相互間における互いに傾く向きに向けた動きに対して該クリップの係止保持片部の変形量が少なく、このクリップの係止保持片部間に前記被取付け物の取付け部が安定に係止保持される。
【００１３】
また、この被取付け物の抜き差し方向以外の向きに生ずる該取付対象体と被取付け物相互間の動きに際して該クリップの係止部にもたらされる力によって変形される前記係止保持片部の変形は、この係止保持片部に連続されている前記脚片部が前記取付け孔の内面によって該変形を防ぐ向きに支持されていることから比較的変形し難く、前記取付け対象体と被取付け物相互間における互いに傾く向きに向けた動きに対して該クリップの係止保持片部の変形量を少なくし、このクリップの係止保持片部間に前記被取付け物の取付け部が安定に係止保持される。
【００１４】
また、この被取付け物を取付け対象体から引き抜く向きに向けて動かした際に、前記取付け対象体における取付け孔の孔縁によって互いに近づく向きに撓められる前記脚部の脚片部に連続されている前記係止保持片部が該脚片部の撓みに相応して前記取付け部の係止孔内に向けて移動されて該係止孔の孔内面に密着する向きの力を受けることから該クリップが前記取付け部に確実に保持された状態で該被取付け物と共に前記取付け対象体から取り外される。
【００１５】
また、前記目的を達成するために請求項２に記載の発明は、前記請求項１に記載の発明において、前記鍔状部が前記脚片部の端部側から該鍔状部の先端側を前記係合部の側に近付くように傾斜状に設けてあると共に、
前記係止保持片部が前記脚片部の端部側で前記鍔状部に連続するように設けられていることを特徴とするクリップとしてある。
【００１６】
このように構成されるクリップにあっては、前記特長に併せて、前記取付け対象体の取付け孔の一方側の孔縁に前記係合部を係合させた状態で該取付け孔の他方側の周辺部の面に弾発状態で係合される前記鍔状部によって前記係止保持片部に保持されている前記被取付け物の抜け出し方向の動きを該係止保持片部の係止部によって弾性的に阻止できる。
【００１７】
また、前記目的を達成するために請求項３に記載の発明は、前記請求項１又は請求項２に記載の発明において、前記係止保持片部が前記脚片部の係合部よりも先端側で該脚片部に連続されていることを特徴とするクリップとしてある。
【００１８】
このように構成されるクリップにあっては、前記特長に併せて、該クリップによって前記取付け対象体の取付け孔に組み付けられている前記被取付け物の取付け部を該係止保持片部によって安定に保持すると共に前記被取付け物の取付け部の該クリップからの抜き出し方向に向けた動きに際しての前記係止保持片部の変形量を少なくすることができる。
【００１９】
また、前記目的を達成するために請求項４に記載の発明は、前記請求項１、請求項２又は請求項３に記載の発明において、前記係止保持片部が前記係止部から前記脚部の先端側に向けて延びる部分を挟持部としてあると共に該挟持部の延設方向に略直交する向きの隆起凸条を該挟持部の互いに向き合った面に夫々複数個備えていることを特徴とするクリップとしてある。
【００２０】
このように構成されるクリップにあっては、前記特長に併せて、該クリップによって前記取付け対象体の取付け孔に組み付けられている前記被取付け物の取付け部を該係止保持片部間に該係止保持片部との間における接触面積を極力少なくした状態で安定に保持できると共に前記被取付け物の取付け部を該クリップの係止保持片部間に容易に差し入れ組み付けることができる。
【００２１】
この結果、前記クリップと被取付け物の取付け部との間における接触音を少なくすることができる。
【００２２】
また、前記目的を達成するために請求項５記載の発明は、前記請求項１、請求項２、請求項３又は請求項４に記載の発明において、前記係止保持片部が前記脚片部に向き合う側に該係止保持片部の延設方向に直交する向きの補強隆起部を備えていることを特徴とするクリップとしてある。
【００２３】
このように構成されるクリップにあっては、前記特長に併せて、該クリップによって前記取付け対象体の取付け孔に組み付けられている前記被取付け物の取付け部を該係止保持片部間に安定に係止状態に保持することができる。
【００２４】
また、前記目的を達成するために請求項６記載の発明は、前記請求項１、請求項２、請求項３、請求項４又は請求項５に記載の発明において、前記脚片部が前記鍔状部を突き出し状態に備える部分から該脚片部の先端側に向けて仮想の直線に略沿う片部を有すると共に該片部に前記係合部を有しており、
この片部に備えられる前記係合部が該片部から隆起して前記鍔状部に向き合う傾斜係合面を有する係合隆起部としてあると共に、
前記係止保持片部の挟持部が該挟持部に向き合う前記脚片部に略平行とされていることを特徴とするクリップとしてある。
【００２５】
このように構成されるクリップにあっては、前記特長に併せて、該クリップによって取付対象体の取付け孔内に組み付けられている被取付け物の取付け部が抜き出し方向に引かれた際に、前記傾斜係合面が該取付け孔の孔縁に接して前記脚片部を前記係止保持片部と共に前記係止部を前記取付け部の係止孔内に押し入れる向きに確実に撓める。
【００２６】
【発明の実施の形態】
以下、この発明の典型的な実施に形態に係るクリップＡについて詳細に説明する。
【００２７】
図１〜図１１は典型的な実施の形態に係るクリップＡを示すものであって、図１は当該典型的な実施の形態に係るクリップＡを用いて取付け対象体Ｃに被取付け物Ｂを組み付ける状態を夫々の要部と共に上方から見て、また、図２は、これを側方から見て一部を断面して示している。図３はこのクリップＡを用いて取付け対象体Ｃに被取付け物Ｂを組み付けた状態を断面で示すと共に、図４はこの組み付け状態にある被取付け物Ｂを取付け対象体Ｃから取り外す状態を断面で示している。また、図５はこのクリップＡを用いて被取付け物Ｂを取付け対象体Ｃに組み付けた状態を切断の位置を変えて断面して示している。
図６〜図１１は当該クリップＡを示すものであって、図６は当該クリップＡを正面側から見て、図７はこれを上方から見て、図８はこれを右側から見て、図９はこれを下側から見て、図１０はこれを図７におけるＶ−Ｖ矢視の向きで断面して、図１１はこれを更に図７におけるＷ−Ｗ矢視の向きで断面して示している。なお、このクリップＡの背面側は前記図６で示される正面側と同一に、また、このクリップＡの左側は前記図８で示される右側と同一に表れる。
【００２８】
かかる典型的な実施の形態に係るクリップＡは、差入れ先端側１０ａで連続されいている脚片部１１を互いに向き合うように備えた脚部１０と、この夫々の脚片部１１から前記先端側１０ａに向けて延びるように該脚片部１１間に備えられている係止保持片部２０と、前記脚片部１１の夫々の端部側１１ａから互いに離れる向きに突き出すように備えられている鍔状部３０と，該鍔状部３０に向き合うように前記脚片部１１に備えられている係合部１３とを有し、前記係止保持片部２０間に被取付け物Ｂの取付け部４０を受け入れ且つ該取付け部４０の係止孔４３の孔内面４３ａに該係止保持片部２０の係止部２２を係止させて該被取付け物Ｂに対して抜け止め状態に備えられると共に取付け対象体Ｃの取付け孔５１周辺部の一方の面に前記鍔状部４０を係合し且つ他方の側に前記係合部１３を係合させるように該取付け孔５１に差入れ取りつけられるプラスチック製のクリップＡであって、前記係止保持片部２０が前記脚片部１１の端部側１１ａから前記先端側１０ａに向けて延びるように備えられていると共に、前記係止保持片部２０の係止部２２が前記係合部１３よりも前記脚片部１１の端部側１１ａで前記係止孔４３の孔内面４３ａに係止可能としてある。
【００２９】
このように構成されるクリップＡにあっては、当該クリップＡが前記取付け対象体Ｃの取付け孔５１内において前記被取付け物Ｂの係止孔４３に係止部２２を係止した状態で該被取付け物Ｂを保持すると共に、前記被取付け物Ｂを前記取付け対象体Ｃから取り外す際に前記クリップＡが該被取付け物Ｂと共に該取付け対象体Ｃから取り外すことができる。
【００３０】
また、このように構成されるクリップＡにあっては、前記取付け対象体Ｃに取り付けられる被取付け物Ｂが、この取付け対象体Ｃの取付け孔５１内において前記クリップＡの係止部２２に係止された状態で保持され、この被取付け物Ｂの抜き出し方向に向けた動きを該取付け孔５１内において前記係止部２２で阻止すると共に、抜き差し方向以外の向きに生ずる該取付対象体Ｃと被取付け物Ｂ相互間の動きに際して該クリップＡの係止部２２における被取付け物Ｂの取付け部４０の傾き量が少なく、前記取付け対象体Ｃと被取付け物Ｂ相互間における互いに傾く向きに向けた動きに対して該クリップＡの係止保持片部２０の変形量が少なく、このクリップＡの係止保持片部２０間に前記被取付け物Ｂの取付け部４０が安定に係止保持される。
【００３１】
また、この被取付け物Ｂの抜き差し方向以外の向きに生ずる該取付対象体Ｃと被取付け物Ｂ相互間の動きに際して該クリップＡの係止部２２にもたらされる力によって変形される前記係止保持片部２０の変形は、この係止保持片部２０に連続されている前記脚片部１１が前記取付け孔５１の内面によって該変形を防ぐ向きに支持されていることから比較的変形し難く、前記取付け対象体Ｃと被取付け物Ｂ相互間における互いに傾く向きに向けた動きに対して該クリップＡの係止保持片部２０の変形量を少なくし、このクリップＡの係止保持片部２０間に前記被取付け物Ｂの取付け部４０が安定に係止保持される。
【００３２】
また、この被取付け物Ｂを取付け対象体Ｃから引き抜く向きに向けて動かした際に、前記取付け対象体Ｃにおける取付け孔５１の孔縁によって互いに近づく向きに撓められる前記の脚部１０の脚片部１１に連続されている前記係止保持片部２０が該脚片部１１の撓みに相応して前記取付け部４０の係止孔４３内に向けて移動されて該係止孔４３の孔内面４３ａに密着する向きの力を受けることから該クリップＡが前記取付け部４０に確実に保持された状態で該被取付け物Ｂと共に前記取付け対象体Ｃから取り外される。
【００３３】
また、前記構成に係るクリップＡにおいて、前記鍔状部３０が前記脚片部１１の端部側１１ａから該鍔状部３０の先端側を前記係合部１３の側に近付くように傾斜状に設けてあると共に、前記係止保持片部２０が前記脚片部１１の端部側１１ａで前記鍔状部３０に連続するように設けられているクリップＡとしてあってもよい。
【００３４】
このように構成されるクリップＡにあっては、前記特長に併せて、前記取付け対象体Ｃの取付け孔５１の一方側の孔縁に前記係合部１３を係合させた状態で該取付け孔５１の他方側の周面部にある面５０ａに弾発状態で係合される前記鍔状部３０によって前記係止保持片部２０に保持されている前記被取付け物Ｂの抜け出し方向の動きを該係止保持片部２０の係止部２２によって弾性的に阻止できる。
【００３５】
また、前記構成に係るクリップＡにおいて、前記係止保持片部２０が前記脚片部１１の係合部１３よりも先端側で該脚片部１１に連続されているクリップＡとしてあってもよい。
【００３６】
このように構成されるクリップＡにあっては、前記特長に併せて、該クリップＡによって前記取付け対象体Ｃの取付け孔５１に組み付けられている前記被取付け物Ｂの取付け部４０を該係止保持片部２０によって安定に保持すると共に前記被取付け物Ｂの取付け部４０の該クリップＡからの抜き出し方向に向けた動きに際しての前記係止保持片部２０の変形量を少なくすることができる。
【００３７】
また、前記前記構成に係るクリップＡにおいて、前記係止保持片部２０が前記係止部２２から前記脚部１０の先端側１０ａに向けて延びる部分を挟持部２１としてあると共に該挟持部２１の延設方向に略直交する向きの隆起凸条２５を該挟持部２１の互いに向き合った面に夫々複数個備えているクリップＡとしてあってもよい。
【００３８】
このように構成されるクリップＡにあっては、前記特長に併せて、該クリップＡによって前記取付け対象体Ｃの取付け孔５１に組み付けられている前記被取付け物Ｂの取付け部４０を該係止保持片部２０間に該係止保持片部２０との間における接触面積を極力少なくした状態で安定に保持できると共に前記被取付け物Ｂの取付け部４０を該クリップＡの係止保持片部２０間に容易に差し入れ組み付けることができ、前記クリップＡと被取付け物Ｂとを接触音の少ない組み付け状態とすることができる。
【００３９】
また、前記構成に係るクリップＡにおいて、前記係止保持片部２０が前記脚片部１１に向き合う側に該係止保持片部２０の延設方向に直交する向きの補強隆起部２７を備えているクリップＡとしてあってもよい。
【００４０】
このように構成されるクリップＡにあっては、前記特長に併せて、該クリップＡによって前記取付け対象体Ｃの取付け孔５１に組み付けられている前記被取付け物Ｂの取付け部４０を該係止保持片部２０間に安定に係止状態に保持することができる。
【００４１】
また、前記構成に係るクリップＡにおいて、前記脚片部１１が前記鍔状部３０を突き出し状態に備える部分から該脚片部１１の先端側１１ａに向けて仮想の直線Ｚ−Ｚに略沿う片部１１ａを有すると共に該片部１１ａに前記係合部１３を有しており、この片部１１ａに備えられる前記係合部１３が該片部１１ａから隆起して前記鍔状部３０に向き合う傾斜係合面１３ａを有する係合隆起部１３’としてあると共に、前記係止保持片部２０の挟持部２１が該挟持部２１に向き合う前記脚片部１１に略平行とされているクリップＡとしてあってもよい。
【００４２】
このように構成されるクリップＡにあっては、前記特長に併せて、該クリップＡによって取付対象体Ｃの取付け孔５１内に組み付けられている被取付け物Ｂの取付け部４０が抜き出し方向に引かれた際に、前記傾斜係合面１３ａが該取付け孔５１の孔縁に接して前記脚片部１１を前記係止保持片部２０と共に前記係止部２２を前記取付け部Ｂの係止孔４３内に押し入れる向きに確実に撓める。
【００４３】
この実施の形態に係るクリップＡは、典型的には各種のプラスチック材によって構成することができる。かかるクリップＡは、より典型的には、このクリップＡを用いて取付け対象体Ｃの組み付けられる被取付け物Ｂの素材に対応したプラスチック素材、例えば、自動車の内装部品であるクラスーやピラーなどの被取付け物Ｂをポリプロピレンによって構成してある場合、この被取付け物Ｂに備えられるクリップＡをポリプロピレンによって構成することで、そのリサイクル時における分別性の良好なクリップＡとして提供することができる。
【００４４】
かかるクリップＡは、典型的には、このクリップＡを被取付け物Ｂに装着して取付け対象体Ｃに組み付ける際に組み付け易く、しかも、取付け対象体Ｃに対して被取付け物Ｂを確実且つ安定に組み付けると共に取付け対象体Ｃから被取付け物Ｂの取り外しをなす場合に該取付け対象体Ｃから被取付け物Ｂと共に取り外し得る機能を有するものとして構成され、当該クリップＡの再利用あるいは当該クリップＡをプラスチック素材として回収再利用するのに都合の良い構成を備えたものとして用意する。
【００４５】
かかるクリップＡは、このクリップＡを被取付け物Ｂにおける取付け部４０に組み付けた状態で取付け対象体Ｃにおける取付け孔５１に対してガタなく都合よく差し入れ得る形状、寸法を有するものとして用意される。
【００４６】
かかる典型的なクリップＡを構成する脚部１０は、この図示例にあっては、先端側１０ａにおいて略Ｕ字状をなすように先端連続部１２によって一連に連続されている略板状に構成されている一対の脚片部１１、脚片部１１を有する構成としてあり、互いの脚片部１１が、その板状面を向き合わせるようにして略平行となるように設けてある。
【００４７】
かかる脚部１０を構成する脚片部１１は、該脚片部１１における夫々の端部側１１ｂ、即ち、前記先端側１０ａと反対の側に備えられる鍔状部３０の備えられる部分から前記先端側１０ａの側に向けた部分を直板状の片部１１ａとして構成してある。
即ち、この脚部１０を構成する脚片部１１が、鍔状部３０の備えられる脚片部１１部分から前記先端側１０ａに向けて、仮想の直線Ｚ−Ｚに沿った直板状をなす片部１１ａを有する構成としてある。
【００４８】
この脚片部１１に備えられる片部１１ａには該脚片部１１の端部側１１ｂに備えられる鍔状部３０に向き合うように係合部１３が設けてあり、この係合部１３と前記鍔状部３０との間が前記取付け対象体Ｃの取付け孔５１に入れ込まれる嵌め合い部１４としてあり、この嵌め合い部１４を該取付け孔５１に入れ込んだ状態で該取付け対象体Ｃにおける取付け孔５１の一方側の孔縁に前記係合部１３を係合状態とし且つ該取付け孔５１の他方側にある周辺部の面５０ａに前記鍔状部３０を弾発状態に接触させて該クリップＡを取付け対象体Ｃに組み付け得る構成としてある。
【００４９】
かかる脚片部１１の片部１１ａに備えられる係合部１３は、この脚片部１１の片部１１ａの面から、その幅方向に亙って隆起されている係合隆起部１３’として構成してあり、この係合隆起部１３’が、前記鍔状部３０に向き合った面を、その隆起基端部から先端側に向けて漸次前記鍔状部３０から離れる向きに傾斜する傾斜係合面１３ａとして有し、また、この傾斜係合面１３ａの先端から屈曲状に連続する前記片部１１ａの面に略平行な連続案内面１３ｂと、又、この連続案内面１３ｂから屈曲状に連続して前記片部１１ａの面に傾斜しながら到る挿入案内面１３ｃとを有する構成としてある。
【００５０】
かかる脚部１０を構成する脚片部１１は、前記先端側１０ａと反対側にある夫々の端部側１１ｂから互いに離れる側、すなわち外向きに鍔状部３０を該端部側１１ｂから突き出すように設けてある。
この脚片部１１の端部側１１ｂから一体に突き出し状態に設けられる鍔状部３０は、その先端側を前記係合部１３の側に漸次近付かせるように傾斜した構成としてあり、この図示例にあっては、前記脚片部１１の板幅と略同一の板幅を有する板状のものとして構成してあり、前記取付け対象体Ｃにおける取付け孔５１の一方の側に係合した前記係合部１３と共に該取付け孔５１の他方の側にある周辺部分の面５０ａを弾性的に挟持しうる構成としてある。
【００５１】
かかる脚部１０を構成する脚片部１１の端部側１１ｂから、この各脚片部１１間に該脚部１０の先端側１０ａに向けて延びるように係止保持片部２０を設けてある。
この脚部１０から一体に該脚部１０を構成する各脚片部１１間に前記先端側１０ａに向けて延びるように備えられる係止保持片部２０は、このクリップＡの組み付け用いられる被取付け物Ｂにおける取付け部４０を受け入れて係止状態に保持する挟持部２１と係止部２２とを有する構成としてある。
【００５２】
かかる係止保持片部２０は、更に具体的には、前記脚部１０の夫々の脚片部１１における端部側１１ｂから上部連結部２３によって互いに近付く側に向けて突き出されると共に前記脚片部１１、より典型的には前記片部１１ａに沿って前記先端側１０ａに向けて延びるように設けてあり、この係止保持片部２０、係止保持片部２０相互間の最も近接する部分として前記係止部２２を設けるようにしたものであって、この図示例にあっては、前記上部連結部２３から挟持部２１に到る間から互いに近付く向きに係止部２２を突き出すように設けてある。
【００５３】
また、かかる構成からなる係止保持片部２０は、前記脚片部１１に備えられる係合部１３よりも前記先端側１０ａ側において該脚片部１１から延設される下部連続部２４によって一体に連続して構成してある。
【００５４】
かかる係止保持片部２０は、この図示例にあっては、前記傾斜状に備えられている鍔状部３０に連続した傾斜部を備えるように該鍔状部３０における板幅と略同一の板幅を有する板状の上部連続部２３を前記脚片部１１の端部側１１ｂに一体に設けた後該上部連続部２３を前記先端側１０ａの側に向けて傾斜するように屈曲した構成とし、この上部連続部２３から前記先端側１０ａに向けて前記脚片部１１の片部１１ａに略平行となるように該上部連続部２３の板幅に略等しい板幅を有する板状をなす挟持部２１を設け、この挟持部２１の他端側を該挟持部２１の板幅と略同一の板幅を有する板幅の下部連続部２４によって前記係合部１３よりも前記先端側１０ａ側にある前記脚片部１１の片部１１ａに一体に連続させた構成としてある。
【００５５】
このように構成される係止保持片部２０は、夫々の脚片部１１、脚片部１１の内側にあって、互いに向き合う平行な面を有し、しかも、この係止保持片部２０、係止保持片部２０と前記片部１１ａ、片部１１ａとが互いに平行をなす構成とされる。
【００５６】
また、前記係合部１３は、前記上部連続部２３の傾斜面の延長面状に延びるように前記挟持部２１から突き出した係止爪２２ａによって構成してあり、この係止爪２２ａは前記上部連続部２３の先端側の略中央部分を更に突き出すと共にその突き出し端から鋭角に屈曲して前記挟持部２１の面に到る係止面２２ａ’を前記先端側１０ａに向き合うように有する構成としてある。
【００５７】
かかる係止保持片部２０は、その挟持部２１の互いに向き合った面に、この挟持部２１の延設方向に略直交する向き、この図示例にあっては、該係止保持片部２０の幅側に亙って隆起凸状２５を有する構成としてあり、この挟持部２１間に差入れ組み付けられる被取付け物Ｂにおける取付け部４０が該隆起凸条２５によって該挟持部２１間に円滑に受入れ案内されると共に、この挟持部２１間にある取付け部４０が該挟持部２１における隆起凸条２５によって部分的に保持される構成としてある。
【００５８】
かかる隆起凸条２５は、典型的には、断面が円弧状をなす構成としてあり、前記挟持部２１の面の互いに向き合う位置に設けてあり、この隆起凸状２５間に受け入れられる前記取付け部４０が該隆起凸状２５に対して線接触の状態で受入れ且つ保持される構成としてある。
この図示例にあっては、前記隆起凸状２５を前記挟持部２１における取付け部４０の受入入口側と受入奥側との所定の間隔を離した夫々の位置に、互いに向きあって備えられる２個一組の当該隆起凸状２５の二組を夫々設けた構成としてある。
【００５９】
このように構成される係止保持片部２０は、この互いに向き合って備えられている各挟持部２１間が前記被取付け物Ｂにおける取付け部４０を両面側から挟み付けるようにして保持する差入れ隙間ｘとしてある。そして、該取付け部４０を前記上部連結部２３の傾斜面に沿って前記係止部２２の係止爪２２ａを互いに離れ出す向きに移動させるように前記係止保持片部２０に弾性変形をもたらしながら前記隙間ｘに差入れ、その先端部を前記脚部１０における先端側１０ａの内部方に到るように案内すると共に該取付け部４０によって側方に撓めていた前記係止保持片部２０における係止部２２の係止爪２２ａを該取付け部４０における係止孔４３内に受け入れ係止させる構成としてある。
【００６０】
また、この図示例に係るクリップＡにあっては、前記脚片部１１と係止保持片部２０との間に隙間ｙを有する構成としてあり、この隙間ｙによって前記取付け部４０に備えられているクリップＡにおける脚片部１１の互いに窄まる側に向けた撓みを受け入れ得るようにしてある。
【００６１】
かかるクリップＡの脚部１０の先端部には該脚部１０を取付け対象体Ｃの取付け孔５１内に案内する案内突部１５が設けてある。
また、前記係止保持片部２０における前記脚片部１１に向き合った側には補強隆起部２７が設けてある。この補強隆起部２７は、該係止保持片部２０の撓み量を抑制して該係止保持片部２０間に受け入れた取付け部４０を確実に保持する機能を有し、この図示例にあっては前記隆起凸条２５の背面側と前記係止部２２の係止爪２２ａの突き出し部分の背面側に該係止保持片部２０の幅側に亙るように設けてある。
【００６２】
また、前記係止保持片部２０の下部連続部２４から前記脚部１０の底面側に向けて前記係止保持片部２０の面に略面一の状態でリブ２６を設けてある。
このリブ２６は、このリブ２６の備えられている脚部１０部分における撓み量を抑制するように機能する。
【００６３】
かかるクリップＡの組み付けられる典型的な被取付け物Ｂに備えられる取付け部４０は比較的厚さを有する長方形状をなす取付け板部４１と該取付け板部４１における両側にある長さ方向縁に沿って該取付け板部４１に直交する向きに該取付け板部４１に一体に備えられている側板部４２、４２とを有し、この取付け板部４１に該取付け板部４１の面間を貫通する係止孔４３を備えた構成としてある。
【００６４】
なお、この被取付け物Ｂの取付け部４０は、この取付け部４０が前記クリップＡを備えて取付け対象体Ｃの取付け孔５１に組み入れられる際に該取付け孔５１に容易に差入れ得るように前記側板部４２の先端側を先窄まりの細幅部４２ａとしてあり、また、前記クリップＡの各係止保持片部２０間に該取付け部４０を容易に差し入れ得るように前記取付け板部４１における先端部を漸次肉薄の差込み突端部４１ａとしてある。
【００６５】
このように構成される被取付け物Ｂの取付け部４０に対して前記クリップＡを該クリップＡにおける前記係止保持片部２０間に該取付け部４０の取付け板部４１を受け入れるように前記側板部４２間に嵌め入れ、該クリップＡにおける前記挟持部２１で該取付け部４０の取付け板部４１を挟持し、且つ該クリップＡの係止部２２の係止爪２２ａを該取付け部４０の係止孔４３に係止させて前記取付け部４０から該クリップＡが抜け外れないように組み付ける。
【００６６】
また、この図示例に係る取付け部４０を構成する取付け板部４１は前記係止保持片部２０間に差入れられた際に該係止保持片部２０によって都合良く挟持され得る板厚を有し、しかも前記側板部４２間に前記クリップＡがほぼガタなく納め入れられる板幅を備えた構成としてある。
【００６７】
また、この取付け部４０に備えられる係止孔４３は前記係止部２２の係止爪２２ａが都合良く入り込んで、該係止爪２２ａにおける前記係止面２２ａ’が該係止孔４３における孔内面４３ａ、特に、該取付け部４０の先端側にある孔内面４３ａの面に係当される構成としてある。
【００６８】
次いで、このクリップＡを備えた被取付け物Ｂの組み付けられる取付け対象体Ｃは、典型的には、該クリップＡを備えた取付け部４０を受け入れる取付け孔５１を備えた構成としてあり、この図示例にあっては、面５０ａ、５０ｂ間に貫通する取付け孔５１を備えた板状体５０などとして用意される。
【００６９】
この取付け対象体Ｃは、前記クリップＡを備えて用意された被取付け物Ｂを該クリップＡと共に該クリップＡの先端側から該クリップＡの係合部１３を該取付け孔５１の孔縁に接しさせて前記脚片部１１を互いに窄まる向きに撓めるようにして該取付け孔５１に受け入れると共に、この取付け孔５１を前記係合部１３が通り抜けた状態で外向きに弾性復帰された該脚片部１１の前記嵌め合い部１４を都合良く該取付け孔５１内に受け入れ、前記係合部１３における傾斜係合面１３ａを該取付け孔５１の面５０ｂ側にある開口縁に接しさせ且つ面５０ａに前記鍔状部３０を弾発状態に密着させて前記被取付け物Ｂを備えたクリップＡを組み付け状態としてある。
【００７０】
即ち、前記被取付け物ＢにクリップＡを備えた状態で該クリップＡの先端側から該取付け対象体Ｃの取付け孔５１内に差入れ、この差入れられるクリップＡにおける前記嵌め合い部１４が該取付け対象体Ｃの取付け孔５１内に位置するように前記係合部１３の傾斜係合面１３ａを面５０ｂ側にある該取付け孔５１の孔縁に、また前記鍔状部３０を該取付け孔５１の他方側にある面５０ａに弾発状態に夫々係合させて該取付け対象体Ｃに前記クリップＡを備えた被取付け物Ｂを組み付ける。
【００７１】
かかる構成からなるクリップＡを用いて前記被取付け物Ｂを取付け対象体Ｃに組み付けることによって、被取付け物Ｂは該被取付け物Ｂの係止孔４３に対するクリップＡの係止部２２による係止を該取付け対象体Ｃの取付け孔５１内で受けて該取付け対象体Ｃに安定に保持される。また、この係止孔４３に係止される係止部２２が該取付け孔５１に沿うように備えられる脚片部１１から延びるように設けてあることから、該取付け部４０が係止部２２に対して該係止部２２部分を有する係止保持片部２０を撓みだすように作用した場合でも、前記脚片部１１が取付け孔５１面で支持されていることから該係止保持片部２０が必要以上に撓められず、係止部２２が安定に係止孔４３に係止状態とされる。
【００７２】
また、この取付け対象体Ｃに備えられている被取付け物Ｂを該取付け対象体Ｃから取り外す場合、この取付け対象体Ｃに備えられているクリップＡの係合部１３の傾斜係合面１３ａが該取付け対象体Ｃの取付け孔５１における孔縁によって前記夫々の脚片部１１の端部側１１ｂを互いに近付く側に撓め、この脚片部１１から直接延びるように備えられている前記係止保持片部２０における係止部２２の係止爪２２ａを該脚片部１１に比較的近い位置で前記係止孔４３の孔内面４３ａに向けて強く押しつけるように作用させることができ、該被取付け物ＢとクリップＡとを強固な係止状態として、該クリップＡと被取付け物Ｂとを一緒に前記取付け対象体Ｃから取り外すことができる。
【００７３】
また、前記脚片部１１が片部１１ａを有し、しかも、前記係止保持片部２０の挟持部２１とがほぼ平行状態とされていることから、前記取付け孔５１の孔縁に係合される前記係合部１３の傾斜係合面１３ａによる脚片部１１の端部側１１ｂの撓み出し作用を前記係止爪２２ａの前記係止孔４３の孔内面４３ａに向けた押しつけに都合良く作用させることができる。
【００７４】
【発明の効果】
この発明に係るクリップは、差入れ先端側で連続されいている脚片部を互いに向き合うように備えた脚部と、の夫々の脚片部から前記先端側に向けて延びるように該脚片部間に備えられている係止保持片部と、前記脚片部の夫々の端部側から互いに離れる向きに突き出すように備えられている鍔状部と、該鍔状部に向き合うように前記脚片部に備えられている係合部とを有し、前記係止保持片部間に被取付け物の取付け部を受け入れ且つ該取付け部の係止孔の孔内面に該係止保持片部の係止部を係止させて該被取付け物に対して抜け止め状態に備えられると共に取付け対象体の取付け孔周辺部の一方の面に前記鍔状部を係合し且つ他方の側に前記係合部を係合させるように該取付け孔に差入れ取りつけられるプラスチック製のクリップであって、
前記係止保持片部が前記脚片部の端部側から前記先端側に向けて延びるように備えられていると共に、前記係止保持片部の係止部が前記係合部よりも前記脚片部の端部側で前記係止孔の孔内面に係止可能としてあることから、
当該クリップが前記取付け対象体の取付け孔内において前記被取付け物の係止孔に係止部を係止した状態で該被取付け物を保持すると共に、前記被取付け物を前記取付け対象体から取り外す際に前記クリップを被取付け物と共に取付け対象体から取り外すことができる特長を有している。
【００７５】
また、前記取付け対象体に取り付けられる被取付け物が、この取付け対象体の取付け孔内において前記クリップの係止部に係止された状態で保持され、この被取付け物の抜き出し方向に向けた動きを該取付け孔内において前記係止部で阻止すると共に、抜き差し方向以外の向きに生ずる該取付対象体と被取付け物相互間の動きに際して該クリップの係止部における被取付け物の取付け部の傾き量が少なく、前記取付け対象体と被取付け物相互間における互いに傾く向きに向けた動きに対して該クリップの係止保持片部の変形量が少なく、このクリップの係止保持片部間に前記被取付け物の取付け部が安定に係止保持される特長を有している。
【００７６】
また、この被取付け物の抜き差し方向以外の向きに生ずる該取付対象体と被取付け物相互間の動きに際して該クリップの係止部にもたらされる力によって変形される前記係止保持片部の変形は、この係止保持片部に連続されている前記脚片部が前記取付け孔の内面によって該変形を防ぐ向きに支持されていることから比較的変形し難く、前記取付け対象体と被取付け物相互間における互いに傾く向きに向けた動きに対して該クリップの係止保持片部の変形量を少なくし、このクリップの係止保持片部間に前記被取付け物の取付け部が安定に係止保持される特長を有している。
【００７７】
また、この被取付け物を取付け対象体から引き抜く向きに向けて動かした際に、前記取付け対象体における取付け孔の孔縁によって互いに近づく向きに撓められる前記脚部の脚片部に連続されている前記係止保持片部が該脚片部の撓みに相応して前記取付け部の係止孔内に向けて移動されて該係止孔の孔内面に密着する向きの力を受けることから該クリップが前記取付け部に確実に保持された状態で該被取付け物と共に前記取付け対象体から取り外し得る特長を有している。
【図面の簡単な説明】
【図１】典型的な実施の形態に係るクリップを取付け対象体及び被取付け物の要部と共に示す斜視図
【図２】同断面図
【図３】同取付け状態を示す断面図
【図４】同被取付け物を取り外す向きに引いている状態の断面図
【図５】同向きを変えて切断した組み付け状態の断面図
【図６】典型的な実施の形態に係るクリップの正面図
【図７】同平面図
【図８】同右側面図
【図９】同底面図
【図１０】図７のＶ−Ｖ矢視断面図
【図１１】図７のＷ−Ｗ矢視断面図
【図１２】従来のクリップの使用状態を示す断面図
【図１３】従来の他のクリップの使用状態を示す断面図
【符号の説明】
Ａ  クリップ
Ｂ  被取付け物
Ｃ  取付け対象体
１０  脚部
１０ａ  先端側
１１  脚片部
１１ａ  片部
１１ｂ  端部側
１３  係合部
１３ａ  傾斜係合面
２０  係止保持片部
２１  挟持部
２２  係止部
２５  隆起凸条
２７  補強隆起部
３０  鍔状部
４０  取付け部
４３  係止孔
４３ａ  孔内面
５１  取付け孔
【図１】
0004375877.tif 000002
【図２】
0004375877.tif 000003
【図３】
0004375877.tif 000004
【図４】
0004375877.tif 000005
【図５】
0004375877.tif 000006
【図６】
0004375877.tif 000007
【図７】
0004375877.tif 000008
【図８】
0004375877.tif 000009
【図９】
0004375877.tif 000010
【図１０】
0004375877.tif 000011
【図１１】
0004375877.tif 000012
【図１２】
0004375877.tif 000013
【図１３】
0004375877.tif 000014